(57)【特許請求の範囲】
【請求項１】
イヤホンであって、
電圧制御スイッチ、スイッチボタン組、マイクロホン及び２組以上のイヤホン回路を含み、そのうち、異なるイヤホン回路が異なったスマートフォンのオペレーティングシステムに対応しており、
前記電圧制御スイッチは、前記スイッチボタン組及び前記マイクロホンと、前記２組以上のイヤホン回路との間に配置されるとともに、前記電圧制御スイッチの電圧入力端が前記イヤホンのマイクロホン接続端に接続され、
前記電圧制御スイッチは、前記イヤホンのマイクロホン接続端の電圧によって、前記イヤホンが現在挿入されているスマートフォンのオペレーティングシステムを識別し、
自身の切替スイッチを制御して、対応する１組のイヤホン回路に切り替えることにより、前記スイッチボタン組及び前記マイクロホンと該対応する１組のイヤホン回路との接続を実現する、ことを特徴とするイヤホン。
【請求項２】
前記異なったスマートフォンのオペレーティングシステムは、異なる電圧範囲に対応しており、
前記電圧制御スイッチは、前記イヤホンのマイクロホン接続端の電圧値の入った電圧範囲によって、前記イヤホンが現在挿入されているスマートフォンのオペレーティングシステムを識別し、更に、自身の切替スイッチを制御して、対応する１組のイヤホン回路に切り替えることを特徴とする請求項１に記載のイヤホン。
【請求項３】
前記イヤホンには、２組のイヤホン回路が含まれ、それぞれがｉＯＳのオペレーティングシステムに対応するイヤホン回路及びＷｉｎｄｏｗｓ  Ｐｈｏｎｅのオペレーティングシステムに対応するイヤホン回路であることを特徴とする請求項１に記載のイヤホン。
【請求項４】
前記電圧制御スイッチには、３組の切替スイッチが含まれ、各組の切替スイッチが、固定接点、第１の切替接点、第２の切替接点、及び、固定接点に接続された切替電極を含み、
前記電圧制御スイッチは、電圧入力端の電圧がリファレンス電圧よりも小さい場合、各組の切替スイッチにおける切替電極を、第１の切替接点に切り替えるように制御するのに対して、電圧入力端の電圧がリファレンス電圧よりも大きい場合、各組の切替スイッチにおける切替電極を、第２の切替接点に切り替えるように制御することを特徴とする請求項３に記載のイヤホン。
【請求項５】
前記電圧制御スイッチは、一つの比較制御モジュールを含み、
前記比較制御モジュールの一つの入力端がリファレンス電圧に接続され、前記比較制御モジュールのもう一つの入力端が前記電圧入力端に接続され、前記比較制御モジュールの出力制御端が前記３組の切替スイッチにそれぞれ接続されることを特徴とする請求項４に記載のイヤホン。
【請求項６】
前記スイッチボタン組は、電話に出る又は電話を切るスイッチボタンＳ０、音量上げスイッチボタンＳ１及び音量下げスイッチボタンＳ２を含み、
そのうち、Ｓ０は、一端が前記イヤホンの接地端に接続され、他端が前記イヤホンのマイクロホン接続端に接続され、Ｓ１は、一端が前記イヤホンの接地端に接続され、他端が前記電圧制御スイッチのうちの第１組の切替スイッチにおける固定接点に接続され、Ｓ２は、一端が前記イヤホンの接地端に接続され、他端が前記電圧制御スイッチのうちの第２組の切替スイッチにおける固定接点に接続されることを特徴とする請求項４に記載のイヤホン。
【請求項７】
前記ｉＯＳのオペレーティングシステムに対応するイヤホン回路が、第１の電気抵抗、第２の電気抵抗、Ｎチャネル電界効果トランジスタ及び「Ｍｉｋｅｙ  Ｃｈｉｐ」チップを含み、
そのうち、「Ｍｉｋｅｙ  Ｃｈｉｐ」チップが前記イヤホンのマイクロホン接続端、第１の電気抵抗の一端、及び、Ｎチャネル電界効果トランジスタのゲートにそれぞれ接続され、第１の電気抵抗の他端が第２の電気抵抗の一端に接続され、且つ、第１の電気抵抗の他端が更に電圧制御スイッチのうちの第１組の切替スイッチにおける第２の切替接点に接続され、第２の電気抵抗の他端が電圧制御スイッチのうちの第２組の切替スイッチにおける第２の切替接点に接続され、Ｎチャネル電界効果トランジスタのソースが前記イヤホンの接地端に接続され、Ｎチャネル電界効果トランジスタのドレインが電圧制御スイッチのうちの第３組の切替スイッチにおける第２の切替接点に接続され、
マイクロホンは、一端が前記イヤホンのマイクロホン接続端に接続され、他端が電圧制御スイッチのうちの第３組の切替スイッチにおける固定接点に接続されることを特徴とする請求項６に記載のイヤホン。
【請求項８】
前記Ｗｉｎｄｏｗｓ  Ｐｈｏｎｅのオペレーティングシステムに対応するイヤホン回路が、第３の電気抵抗及び第４の電気抵抗を含み、
そのうち、第３の電気抵抗の一端が前記イヤホンのマイクロホン接続端に接続され、第３の電気抵抗の他端が第４の電気抵抗の一端に接続され、第３の電気抵抗の他端が更に電圧制御スイッチのうちの第１組の切替スイッチにおける第１の切替接点に接続され、第４の電気抵抗の他端が電圧制御スイッチのうちの第２組の切替スイッチにおける第１の切替接点に接続され、電圧制御スイッチのうちの第３組の切替スイッチにおける第１の切替接点が前記イヤホンの接地端に接続され、
マイクロホンは、一端が前記イヤホンのマイクロホン接続端に接続され、他端が電圧制御スイッチのうちの第３組の切替スイッチにおける固定接点に接続されることを特徴とする請求項７に記載のイヤホン。
【請求項９】
前記第１の電気抵抗の抵抗値が６．８ｋΩであり、
前記第２の電気抵抗の抵抗値が２．６１ｋΩであり、
前記第３の電気抵抗の抵抗値が２２１Ωであり、
前記第４の電気抵抗の抵抗値が３９２Ωであることを特徴とする請求項８に記載のイヤホン。
【請求項１０】
イヤホンの自動識別切替制御を実現する方法であって、
前記イヤホンに、電圧制御スイッチ、スイッチボタン組、マイクロホン及び２組以上のイヤホン回路を配置する処理であって、そのうち、異なる組のイヤホン回路が異なったスマートフォンのオペレーティングシステムに対応している処理と、
前記電圧制御スイッチを前記スイッチボタン組及び前記マイクロホンと、前記２組以上のイヤホン回路との間に配置するとともに、前記電圧制御スイッチの電圧入力端を前記イヤホンのマイクロホン接続端に接続する処理と、
前記電圧制御スイッチが、前記イヤホンのマイクロホン接続端の電圧によって、前記イヤホンが現在挿入されているスマートフォンのオペレーティングシステムを識別し、自身の切替スイッチを制御して、対応する１組のイヤホン回路に切り替えることにより、前記スイッチボタン組及び前記マイクロホンと該対応する１組のイヤホン回路との接続を実現する処理と、
を含むことを特徴とするイヤホンの自動識別切替制御を実現する方法。
【発明の詳細な説明】
【技術分野】
【０００１】
本発明は、イヤホンシステム技術分野に関し、特に、イヤホン及びイヤホンの自動識別切替制御を実現する方法に関する。
【背景技術】
【０００２】
スマートフォンのオペレーティングシステムは、従来のフィーチャーフォンシステムよりも演算能力及び機能が強化されたモバイルフォンシステムである。最も多く利用されているスマートフォンのオペレーティングシステムには、ｉＯＳ、Ｗｉｎｄｏｗｓ（登録商標）  Ｐｈｏｎｅ等がある。それらのアプリケーションソフトには互換性がない。
【０００３】
一般的に、従来のスマートフォンは、それとマッチングするリモートコントロール機能付きイヤホンを備え、音量上げ（Ｖｏｌ＋）、音量下げ（Ｖｏｌ−）、電話に出る又は電話を切る（Ｓｅｎｄ／Ｅｎｄ）というリモートコントロール機能を有する。しかし、従来のリモートコントロール機能付きイヤホンは、いずれも、特定種類のスマートフォンのオペレーティングシステムのみに適応するものである。例えば、ｉＯＳのオペレーティングシステムのモバイルフォンとマッチングするリモートコントロール機能付きイヤホンは、ｉＯＳのオペレーティングシステムのモバイルフォンのみに適用可能で、その他のオペレーティングシステムのモバイルフォンに適用できない。同様に、Ｗｉｎｄｏｗｓ  Ｐｈｏｎｅのオペレーティングシステムのモバイルフォンとマッチングするリモートコントロール機能付きイヤホンは、Ｗｉｎｄｏｗｓ  Ｐｈｏｎｅのオペレーティングシステムのモバイルフォンのみに適用可能で、その他のオペレーティングシステムのモバイルフォンに適用できない。
【発明の概要】
【発明が解決しようとする課題】
【０００４】
これに鑑み、本発明は、イヤホン及びイヤホンの自動識別切替制御を実現する方法を提供することにより、異なるオペレーティングシステムのモバイルフォンに通用するイヤホンを実現する。
【課題を解決するための手段】
【０００５】
上記目的を達成するために、本発明の技術方案は、次のように実現される。
本発明は、イヤホンを開示しており、該イヤホンは、電圧制御スイッチ、スイッチボタン組、マイクロホン及び２組以上のイヤホン回路を含み、そのうち、異なるイヤホン回路が異なったスマートフォンのオペレーティングシステムに対応しており、前記電圧制御スイッチは、前記スイッチボタン組及び前記マイクロホンと、前記２組以上のイヤホン回路との間に配置されるとともに、前記電圧制御スイッチの電圧入力端が前記イヤホンのマイクロホン接続端に接続され、前記電圧制御スイッチは、前記イヤホンのマイクロホン接続端の電圧によって、前記イヤホンが現在挿入されているスマートフォンのオペレーティングシステムを識別し、自身の切替スイッチを制御して、対応する１組のイヤホン回路に切り替えることにより、前記スイッチボタン組及び前記マイクロホンと該対応する１組のイヤホン回路との接続を実現する。
【０００６】
或いは、前記異なったスマートフォンのオペレーティングシステムは、異なる電圧範囲に対応しており、前記電圧制御スイッチは、前記イヤホンのマイクロホン接続端の電圧値の入った電圧範囲によって、前記イヤホンが現在挿入されているスマートフォンのオペレーティングシステムを識別し、更に、自身の切替スイッチを制御して、対応する１組のイヤホン回路に切り替える。
【０００７】
或いは、前記イヤホンには、２組のイヤホン回路が含まれ、それぞれがｉＯＳのオペレーティングシステムに対応するイヤホン回路及びＷｉｎｄｏｗｓ  Ｐｈｏｎｅのオペレーティングシステムに対応するイヤホン回路である。
【０００８】
或いは、前記電圧制御スイッチには、３組の切替スイッチが含まれ、各組の切替スイッチが、固定接点、第１の切替接点、第２の切替接点、及び、固定接点に接続された切替電極を含み、前記電圧制御スイッチは、電圧入力端の電圧がリファレンス電圧よりも小さい場合、各組の切替スイッチにおける切替電極を、第１の切替接点に切り替えるように制御するのに対して、電圧入力端の電圧がリファレンス電圧よりも大きい場合、各組の切替スイッチにおける切替電極を、第２の切替接点に切り替えるように制御する。
【０００９】
或いは、前記電圧制御スイッチは、一つの比較制御モジュールを含み、前記比較制御モジュールの一つの入力端がリファレンス電圧に接続され、前記比較制御モジュールのもう一つの入力端が前記電圧入力端に接続され、前記比較制御モジュールの出力制御端が前記３組の切替スイッチにそれぞれ接続される。
【００１０】
或いは、前記スイッチボタン組は、電話に出る又は電話を切るスイッチボタンＳ０、音量上げスイッチボタンＳ１及び音量下げスイッチボタンＳ２を含み、そのうち、Ｓ０は、一端が前記イヤホンの接地端に接続され、他端が前記イヤホンのマイクロホン接続端に接続され、Ｓ１は、一端が前記イヤホンの接地端に接続され、他端が前記電圧制御スイッチのうちの第１組の切替スイッチにおける固定接点に接続され、Ｓ２は、一端が前記イヤホンの接地端に接続され、他端が前記電圧制御スイッチのうちの第２組の切替スイッチにおける固定接点に接続される。
【００１１】
或いは、前記ｉＯＳのオペレーティングシステムに対応するイヤホン回路が、第１の電気抵抗、第２の電気抵抗、Ｎチャネル電界効果トランジスタ及び「Ｍｉｋｅｙ  Ｃｈｉｐ」チップを含み、そのうち、「Ｍｉｋｅｙ  Ｃｈｉｐ」チップが前記イヤホンのマイクロホン接続端、第１の電気抵抗の一端、及び、Ｎチャネル電界効果トランジスタのゲートにそれぞれ接続され、第１の電気抵抗の他端が第２の電気抵抗の一端に接続され、且つ、第１の電気抵抗の他端が更に電圧制御スイッチのうちの第１組の切替スイッチにおける第２の切替接点に接続され、第２の電気抵抗の他端が電圧制御スイッチのうちの第２組の切替スイッチにおける第２の切替接点に接続され、Ｎチャネル電界効果トランジスタのソースが前記イヤホンの接地端に接続され、Ｎチャネル電界効果トランジスタのドレインが電圧制御スイッチのうちの第３組の切替スイッチにおける第２の切替接点に接続され、マイクロホンは、一端が前記イヤホンのマイクロホン接続端に接続され、他端が電圧制御スイッチのうちの第３組の切替スイッチにおける固定接点に接続される。
【００１２】
或いは、前記Ｗｉｎｄｏｗｓ  Ｐｈｏｎｅのオペレーティングシステムに対応するイヤホン回路が、第３の電気抵抗及び第４の電気抵抗を含み、そのうち、第３の電気抵抗の一端が前記イヤホンのマイクロホン接続端に接続され、第３の電気抵抗の他端が第４の電気抵抗の一端に接続され、第３の電気抵抗の他端が更に電圧制御スイッチのうちの第１組の切替スイッチにおける第１の切替接点に接続され、第４の電気抵抗の他端が電圧制御スイッチのうちの第２組の切替スイッチにおける第１の切替接点に接続され、電圧制御スイッチのうちの第３組の切替スイッチにおける第１の切替接点が前記イヤホンの接地端に接続され、マイクロホンは、一端が前記イヤホンのマイクロホン接続端に接続され、他端が電圧制御スイッチのうちの第３組の切替スイッチにおける固定接点に接続される。
【００１３】
或いは、前記第１の電気抵抗の抵抗値が６．８ｋΩ、前記第２の電気抵抗の抵抗値が２．６１ｋΩ、前記第３の電気抵抗の抵抗値が２２１Ω、前記第４の電気抵抗の抵抗値が３９２Ωである。
【００１４】
或いは、前記固定電源電圧の値が＋１．９Ｖである。
【００１５】
本発明は、更に、イヤホンの自動識別切替制御を実現する方法を開示しており、該方法は、前記イヤホンに、電圧制御スイッチ、スイッチボタン組、マイクロホン及び２組以上のイヤホン回路を配置する処理であって、そのうち、異なる組のイヤホン回路が異なったスマートフォンのオペレーティングシステムに対応している処理と、前記電圧制御スイッチを前記スイッチボタン組及び前記マイクロホンと、前記２組以上のイヤホン回路との間に配置するとともに、前記電圧制御スイッチの電圧入力端を前記イヤホンのマイクロホン接続端に接続する処理と、前記電圧制御スイッチが、前記イヤホンのマイクロホン接続端の電圧によって、前記イヤホンが現在挿入されているスマートフォンのオペレーティングシステムを識別し、自身の切替スイッチを制御して、対応する１組のイヤホン回路に切り替えることにより、前記スイッチボタン組及び前記マイクロホンと該対応する１組のイヤホン回路との接続を実現する処理と、を含む。
【００１６】
上記から分かるように、本発明のような、イヤホンが電圧制御スイッチ、スイッチボタン組、マイクロホン及び２組以上のイヤホン回路を含み、そのうち、異なるイヤホン回路が異なったスマートフォンのオペレーティングシステムに対応しており、前記電圧制御スイッチは、前記スイッチボタン組及び前記マイクロホンと、前記２組以上のイヤホン回路との間に配置されるとともに、前記電圧制御スイッチの電圧入力端が前記イヤホンのマイクロホン接続端に接続され、前記電圧制御スイッチは、前記イヤホンのマイクロホン接続端の電圧によって、前記イヤホンが現在挿入されているスマートフォンのオペレーティングシステムを識別し、自身の切替スイッチを制御して、対応する１組のイヤホン回路に切り替えることにより、前記スイッチボタン組及び前記マイクロホンと該対応する１組のイヤホン回路との接続を実現するという技術方案によって、一つのイヤホンは、異なったオペレーティングシステムのモバイルフォンに通用できるようになる。
【図面の簡単な説明】
【００１７】
【図１】図１は、本発明の実施例によるイヤホンの模式図である。
【図２】図２は、本発明の実施例によるイヤホンの識別切替制御を実現する回路構造の模式図である。
【発明を実施するための形態】
【００１８】
本発明の核心としては、イヤホンに、電圧制御スイッチ、スイッチボタン組、マイクロホン及び２組以上のイヤホン回路を配置し、そのうち、異なる組のイヤホン回路が異なったスマートフォンのオペレーティングシステムに対応しており、電圧制御スイッチをスイッチボタン組及びマイクロホンと、前記２組以上のイヤホン回路との間に配置するとともに、前記電圧制御スイッチの電圧入力端を前記イヤホンのマイクロホン接続端に接続し、電圧制御スイッチは、該イヤホンのマイクロホン接続端の電圧によって、該イヤホンが現在挿入されているスマートフォンのオペレーティングシステムを識別し、自身の切替スイッチを制御して、対応する１組のイヤホン回路に切り替えることにより、スイッチボタン組及びマイクロホンと該対応する１組のイヤホン回路との接続を実現する。
【００１９】
本発明は、主に、異なったスマートフォンのオペレーティングシステムの間でイヤホンにおけるマイクロホン接続端（Ｍ極）への入力電圧が異なっていることを利用して、電圧制御スイッチを用いてこの異なった電圧を識別し、更に、対応するモバイルフォンのオペレーティングシステムの類型を識別し、そして、イヤホンの配置を自動的に調整して、現在の対応するモバイルフォンのオペレーティングシステムに適応する。
【００２０】
本発明の目的、技術方案及び利点がより明瞭に分かるために、以下、図面を参照しながら本発明の実施形態について更に詳しく説明する。
【００２１】
本発明の実施例によるイヤホンは、電圧制御スイッチ、スイッチボタン組、マイクロホン及び２組以上のイヤホン回路を含み、そのうち、異なるイヤホン回路が異なったスマートフォンのオペレーティングシステムに対応しており、前記電圧制御スイッチは、前記スイッチボタン組及び前記マイクロホンと、前記２組以上のイヤホン回路との間に配置されるとともに、前記電圧制御スイッチの電圧入力端が前記イヤホンのマイクロホン接続端に接続され、電圧制御スイッチは、該イヤホンのマイクロホン接続端の電圧によって、該イヤホンが現在挿入されているスマートフォンのオペレーティングシステムを識別し、自身の切替スイッチを制御して、対応する１組のイヤホン回路に切り替えることにより、前記スイッチボタン組及び前記マイクロホンと該対応する１組のイヤホン回路との接続を実現する。
【００２２】
本発明の一つの実施例において、具体的に、異なったスマートフォンのオペレーティングシステムが異なる電圧範囲に対応しており、こうして、電圧制御スイッチは、イヤホンのマイクロホン接続端の電圧値の入った電圧範囲によって、イヤホンが現在挿入されているスマートフォンのオペレーティングシステムを識別し、更に、自身の切替スイッチを制御して、対応する１組のイヤホン回路に切り替えることができる。
【００２３】
例えば、イヤホンには、３組のイヤホン回路が含まれ、それぞれが、３種類のスマートフォンのオペレーティングシステムに対応しており、そのうち、第１種のスマートフォンのオペレーティングシステムの対応する電圧範囲が＋１．５Ｖ〜＋１．９Ｖであり、第２種のスマートフォンのオペレーティングシステムの対応する電圧範囲が＋２．０Ｖ〜＋２．５Ｖであり、第３種のスマートフォンのオペレーティングシステムの対応する電圧範囲が＋２．６Ｖ〜＋３．５Ｖである。もし、イヤホンのマイクロホン接続端の電圧が２．１Ｖであり、＋２．０Ｖ〜＋２．５Ｖという範囲に入った場合、イヤホンが現在挿入されているスマートフォンのオペレーティングシステムが前記第２種のスマートフォンのオペレーティングシステムであると確認でき、切替スイッチを該第２種のスマートフォンのオペレーティングシステムに対応するイヤホン回路に切り替えてスイッチボタンに接続させるといったように、その他の場合についても、同じような処理となる。
【００２４】
以下、ｉＯＳのオペレーティングシステムのモバイルフォン及びＷｉｎｄｏｗｓ  Ｐｈｏｎｅのオペレーティングシステムのモバイルフォンに通用できる４ピン３．５ｍｍのイヤホンを例として、本発明の技術方案を詳しく説明する。
【００２５】
図１は、本発明の実施例によるイヤホンの模式図である。図１に示すように、該イヤホンが４ピン３．５ｍｍのイヤホンであり、Ｒが右チャンネル端、Ｌが左チャンネル端、Ｇが接地端、Ｍがマイクロホン接続端、Ｖｏｌ＋が音量上げスイッチボタン、Ｖｏｌ−が音量下げスイッチボタン、Ｓｅｎｄ／Ｅｎｄが電話に出る又は電話を切るスイッチボタンである。
【００２６】
図２は、本発明の実施例によるイヤホンの識別切替制御を実現する回路構造の模式図である。本実施例によるイヤホンは、ｉＯＳのオペレーティングシステムのモバイルフォン及びＷｉｎｄｏｗｓ  Ｐｈｏｎｅのオペレーティングシステムのモバイルフォンに通用できる。
【００２７】
図２を参照して、該構造には、電圧制御スイッチＳ、電話に出る又は電話を切るスイッチボタンＳ０、音量上げスイッチボタンＳ１、音量下げスイッチボタンＳ２、マイクロホンＭｉｃ、ｉＯＳのオペレーティングシステムに対応するイヤホン回路、及び、Ｗｉｎｄｏｗｓ  Ｐｈｏｎｅのオペレーティングシステムに対応するイヤホン回路が含まれる。
【００２８】
図２を参照して、電圧制御スイッチＳの電圧入力端がイヤホンのマイクロホン接続端Ｍに接続され、電圧制御スイッチＳ内にリファレンス電圧が内蔵されており、本発明の一つの実施例において、該リファレンス電圧が＋１．９Ｖである。本発明のその他の実施例において、電圧制御スイッチには、外部からリファレンス電圧が接続されてもよく、リファレンス電圧の値を柔軟に変更することができる。電圧制御スイッチＳには、３組の切替スイッチが含まれ、左から右へ順に第１組の切替スイッチ、第２組の切替スイッチ、第３組の切替スイッチである。各組の切替スイッチが、固定接点０、第１の切替接点１、第２の切替接点２、及び、固定接点０に接続された切替電極を含む。電圧制御スイッチＳが一つのチップであり、自身に制御ロジックが付いている。本実施例において、電圧制御スイッチＳは、電圧入力端の電圧がリファレンス電圧よりも小さい場合、各組の切替スイッチにおける切替電極を、第１の切替接点１に切り替えるように制御するのに対して、電圧入力端の電圧がリファレンス電圧よりも大きい場合、各組の切替スイッチにおける切替電極を、第２の切替接点２に切り替えるように制御する。又は、本発明のその他の実施例において、電圧制御スイッチＳは、電圧入力端の電圧値が、リファレンス電圧よりも小さい第１の所定電圧範囲内にある場合、各組の切替スイッチにおける切替電極を、第１の切替接点１に切り替えるように制御し、電圧入力端の電圧値が、リファレンス電圧よりも大きい第２の所定電圧範囲内にある場合、各組の切替スイッチにおける切替電極を、第２の切替接点２に切り替えるように制御する。例えば、リファレンス電圧は＋１．９Ｖを取り、第１の所定電圧範囲は＋１．５Ｖ〜＋１．８Ｖを取り、第２の所定電圧範囲は＋２．０Ｖ〜２．３Ｖを取る。
【００２９】
本実施例において、電圧制御スイッチＳが一つの比較制御モジュールＣを含み、比較制御モジュールＣの一つの入力端がリファレンス電圧Ｖｒｅｆに接続され、比較制御モジュールＣのもう一つの入力端が電圧入力端Ｖｉｎに接続され、比較制御モジュールＣの出力制御端が３組の切替スイッチにそれぞれ接続される。このように、比較制御モジュールＣによって電圧入力端の電圧とリファレンス電圧との間の比較を行って、比較結果に応じて３組の切替スイッチの制御を行う。
【００３０】
Ｓ０は、一端がイヤホンの接地端Ｇに接続され、他端がイヤホンのマイクロホン接続端Ｍに接続される。Ｓ１は、一端がイヤホンの接地端Ｇに接続され、他端が電圧制御スイッチＳのうちの第１組の切替スイッチにおける固定接点０に接続され、Ｓ２は、一端がイヤホンの接地端Ｇに接続され、他端が電圧制御スイッチＳのうちの第２組の切替スイッチにおける固定接点０に接続される。
【００３１】
本実施例において、ｉＯＳのオペレーティングシステムに対応するイヤホン回路は、第１の電気抵抗Ｒ１、第２の電気抵抗Ｒ２、Ｎチャネル電界効果トランジスタＱ１及び「Ｍｉｋｅｙ  Ｃｈｉｐ」チップを含む。「Ｍｉｋｅｙ  Ｃｈｉｐ」チップは、アップルモバイルフォンのリモートコントロールイヤホンに専用のチップである。「Ｍｉｋｅｙ  Ｃｈｉｐ」のチップは、イヤホンのマイクロホン接続端Ｍ、第１の電気抵抗Ｒ１の一端及びＮチャネル電界効果トランジスタＱ１のゲートにそれぞれ接続される。第１の電気抵抗Ｒ１の他端が第２の電気抵抗Ｒ２の一端に接続され、且つ、第１の電気抵抗Ｒ１の他端が更に電圧制御スイッチＳのうちの第１組の切替スイッチにおける第２の切替接点２に接続される。第２の電気抵抗Ｒ２の他端が電圧制御スイッチＳのうちの第２組の切替スイッチにおける第２の切替接点２に接続される。Ｎチャネル電界効果トランジスタＱ１のソースがイヤホンの接地端Ｇに接続され、Ｎチャネル電界効果トランジスタＱ１のドレインが電圧制御スイッチＳのうちの第３組の切替スイッチにおける第２の切替接点２に接続される。本実施例において、第１の電気抵抗Ｒ１の抵抗値が６．８ｋΩであり、第２の電気抵抗Ｒ２の抵抗値が２．６１ｋΩである。ここでのｉＯＳのオペレーティングシステムに対応するイヤホン回路は、従来技術におけるアップルモバイルフォンのリモートコントロールイヤホンにおけるイヤホン回路と同じであるため、ここでは、該イヤホン回路の作動原理を改めて説明する必要がない。
【００３２】
マイクロホンＭｉｃは、一端がイヤホンのマイクロホン接続端Ｍに接続され、他端が電圧制御スイッチＳのうちの第３組の切替スイッチにおける固定接点０に接続される。
【００３３】
本発明の実施例において、Ｗｉｎｄｏｗｓ  Ｐｈｏｎｅのオペレーティングシステムに対応するイヤホン回路は、第３の電気抵抗Ｒ３及び第４の電気抵抗Ｒ４を含む。第３の電気抵抗Ｒ３の抵抗値が２２１Ωであり、第４の電気抵抗Ｒ４の抵抗値が３９２Ωである。図２における１％は、精度を表す。これは、従来のＷｉｎｄｏｗｓ  Ｐｈｏｎｅのオペレーティングシステムのモバイルフォンのリモートコントロールイヤホンにおけるイヤホン回路と同じであるため、該イヤホン回路の作動原理を改めて説明する必要がない。
【００３４】
本発明の実施例において、第３の電気抵抗Ｒ３の一端がイヤホンのマイクロホン接続端Ｍに接続され、第３の電気抵抗Ｒ３の他端が第４の電気抵抗Ｒ４の一端に接続され、第３の電気抵抗Ｒ３の他端が更に電圧制御スイッチＳのうちの第１組の切替スイッチにおける第１の切替接点１に接続される。第４の電気抵抗Ｒ４の他端が電圧制御スイッチＳのうちの第２組の切替スイッチにおける第１の切替接点１に接続される。電圧制御スイッチＳのうちの第３組の切替スイッチにおける第１の切替接点１がイヤホンの接地端Ｇに接続される。
【００３５】
図２に示す回路構造を含むイヤホンのプラグをモバイルフォンのジャックに挿入して、電圧制御スイッチＳが、マイクロホン接続端Ｍの電圧値が＋１．９Ｖよりも小さいことを検出すると、電圧制御スイッチＳのうちの３組の切替スイッチにおける切替電極が、いずれも切替接点１に切り替え、電圧制御スイッチＳが第３の電気抵抗Ｒ３及び第４の電気抵抗Ｒ４に接続され、Ｗｉｎｄｏｗｓ  Ｐｈｏｎｅのオペレーティングシステムのイヤホン回路に切り替えられ、このとき、Ｓ０、Ｓ１及びＳ２ボタンは、Ｗｉｎｄｏｗｓ  Ｐｈｏｎｅのオペレーティングシステムの制御操作を実行する。
【００３６】
図２に示す回路構造を含むイヤホンのプラグをモバイルフォンのジャックに挿入して、電圧制御スイッチＳが、マイクロホン接続端Ｍの電圧値が＋１．９Ｖよりも大きいことを検出すると、電圧制御スイッチＳのうちの３組の切替スイッチにおける切替電極が、いずれも切替接点２に切り替え、電圧制御スイッチＳが第１の電気抵抗Ｒ１、第２の電気抵抗Ｒ２及びＮチャネル電界効果トランジスタＱ１に接続され、ｉＯＳのオペレーティングシステムのイヤホン回路に切り替えられ、このとき、Ｓ０、Ｓ１及びＳ２ボタンは、ｉＯＳのオペレーティングシステムの制御操作を実行する。
【００３７】
これまで分かるように、図２に示す回路構造は、一つのイヤホンをＷｉｎｄｏｗｓ  Ｐｈｏｎｅのオペレーティングシステムのモバイルフォン及びｉＯＳのオペレーティングシステムのモバイルフォンに通用させることができる。
【００３８】
図２に示す実施例には、Ｗｉｎｄｏｗｓ  Ｐｈｏｎｅのオペレーティングシステムのモバイルフォン及びｉＯＳのオペレーティングシステムのモバイルフォンに通用するリモートコントロールイヤホンにおける制御構造が示されているが、これは、本発明を限定するものではない。本発明のその他の実施例においては、その他のスマートフォンのオペレーティングシステムであってもよく、対応するスマートフォンのオペレーティングシステムのイヤホン回路を相応的に該構造に配置すればよい。そして、配置されるイヤホン回路は、２組に限定されず、それ以上の複数の組であっても構わなく、電圧制御スイッチにおける切替スイッチの個数、各切替スイッチにおける切替接点の個数、及び、電圧に応じて制御するロジックさえを設計すればよいのである。即ち、電圧制御スイッチをスイッチボタン組及びマイクロホンと、２組以上のイヤホン回路との間に配置するとともに、電圧制御スイッチの電圧入力端をイヤホンのマイクロホン接続端に接続させ、電圧制御スイッチは、該イヤホンのマイクロホン接続端の電圧によって、該イヤホンが現在挿入されているスマートフォンのオペレーティングシステムを識別し、自身の切替スイッチを制御して、対応する１組のイヤホン回路に切り替えることにより、スイッチボタン組及びマイクロホンと該対応する１組のイヤホン回路との接続を実現する。このように、任意のオペレーティングシステムのスマートフォンにも通用できるイヤホンを実現することができる。
【００３９】
前述したのは、あくまでも本発明の好ましい実施例であり、本発明の保護範囲を限定するためものではない。本発明の精神及び原則内になされたすべての補正、同等の代替、改良等は、いずれも本発明の保護範囲に含まれるものとされる。
【要約】
【解決手段】本発明は、イヤホン及びイヤホンの自動識別切替制御を実現する方法を開示している。該イヤホンは、電圧制御スイッチ、スイッチボタン組、マイクロホン及び２組以上のイヤホン回路を含み、そのうち、異なるイヤホン回路が異なるスマートフォンのオペレーティングシステムに対応しており、前記電圧制御スイッチは、前記スイッチボタン組及び前記マイクロホンと、前記２組以上のイヤホン回路との間に配置されるとともに、前記電圧制御スイッチの電圧入力端が前記イヤホンのマイクロホン接続端に接続され、前記電圧制御スイッチは、前記イヤホンのマイクロホン接続端の電圧によって、前記イヤホンが現在挿入されているスマートフォンのオペレーティングシステムを識別し、自身の切替スイッチを制御して、対応する１組のイヤホン回路に切り替えることにより、前記スイッチボタン組及び前記マイクロホンと該対応する１組のイヤホン回路との連通を実現する。本発明の技術方案によって、異なるオペレーティングシステムのスマートフォンに通用できるイヤホンが得られる。
【選択図】  図２【図１】
0005893816.tif 000002
【図２】
0005893816.tif 000003